(57)【特許請求の範囲】
【請求項１】
記録媒体に記録された情報を再生する再生手段と、
放送局を受信する受信手段と、
音声を認識する音声認識手段と、
該音声認識手段により放送局名が認識されると、該放送局名の示す放送局を受信させる
ように前記受信手段を制御する制御手段とを備え、
前記再生手段により前記記録媒体に記録された情報を再生する再生モードにおいて、前
記受信手段により放送局を受信する放送局受信モードにおける固有の操作命令である放送
局名の発声がなされると、前記再生モードから前記受信手段により放送局を受信する放送
局受信モードへのモードの切替が行われ、前記放送局名の示す放送局が受信されるように
、前記制御手段が制御することを特徴とする再生装置。
【発明の詳細な説明】
【技術分野】
【０００１】
本発明は再生装置に関し、より詳細には、音声及び手動による複数の操作手段（例えば
、本体に取り付けられた手動式スイッチや、リモコンを用いた手動式スイッチ、音声認識
装置等）を備えた再生装置に関する。
【背景技術】
【０００２】
近年、音声及び手動による複数の操作手段を備えた再生装置が開発されている。特に、
車載用機器の操作に音声を用いれば、運転者の脇見運転等を抑えることができ、安全性の
向上を図ることができる。
【０００３】
図１は、複数の操作手段を備えた、従来の再生装置のシステム構成の要部を概略的に示
したブロック図である。この再生装置では、手動操作によるリモコン９からの信号を受信
する受信手段２、本体に装備された本体スイッチ３、及び音声認識処理手段５からの情報
がそれぞれ制御手段７に入力されるようになっており、これらの情報に基づいて、制御手
段７が機器８の制御を行なうように構成されている。マイク４は使用者１０から発声され
た音声を捕らえるものであり、その音声は音声認識手段５によってＡ／Ｄ変換された後、
音声認識処理が施される。また、メモリ６には音声認識用のデータが格納されている。
【０００４】
図１に示したようなシステム構成の場合、使用者の好みに応じて、音声操作と手動操作
とを使い分けることができ、また音声操作を使用することによって視線移動が抑えられる
ので、特に運転者にとっては安全性の高いシステムとなっている。
しかしながら、上記システム構成ではまだまだ使い勝手の良くないところがあった。
【発明の開示】
【課題を解決するための手段及びその効果】
【０００５】
本発明は上記課題に鑑みなされたものであって、より使い勝手の良い、音声による操作
機能を装備した再生装置を提供することを目的としている。
【０００８】
上記目的を達成するために本発明に係る再生装置（１）は、記録媒体に記録された情報を再生する再生手段と、放送局を受信する受信手段と、音声を認識する音声認識手段と、該音声認識手段により放送局名が認識されると、該放送局名の示す放送局を受信させるように前記受信手段を制御する制御手段とを備え、前記再生手段により前記記録媒体に記録された情報を再生する再生モードにおいて、前記受信手段により放送局を受信する放送局受信モードにおける固有の操作命令である放送局名の発声がなされると、前記再生モードから前記受信手段により放送局を受信する放送局受信モードへのモードの切替が行われ、前記放送局名の示す放送局が受信されるように、前記制御手段が制御することを特徴としている。
【０００９】
上記再生装置（１）によれば、前記音声認識手段により放送局受信モードにおける固有の操作命令である放送局名が認識されると、該放送局名の示す放送局を受信させるように前記受信手段が制御され、前記再生手段による前記記録媒体に記録された情報の再生中に、前記放送局名の発声がなされると、再生モードから放送局受信モードへのモードの切替が行われ、前記放送局名の示す放送局が受信されるようになっている。
【００１０】
例えば、ＣＤに記録されている情報が再生されている時に、「エフエムオーサカ」と放送局名（放送局受信モードにおける固有の操作命令）の発声がなされると、ＣＤの再生モードからＦＭラジオモードにモードが切り替えられ、そして「ＦＭ大阪」のラジオ受信に切り替えられる。これにより、ＣＤに記録されている音楽を聴いていたとしても、使用者は「エフエムオーサカ」と発声するだけで、ダイレクトにＦＭラジオの「ＦＭ大阪」に切り替えることができる。
【発明を実施するための最良の形態】
【００１４】
以下、本発明に係る再生装置の実施の形態を図面に基づいて説明する。図２は、実施の
形態（１）に係る再生装置のシステム構成の要部を概略的に示したブロック図である。こ
こでは、図１に示したシステム構成と同様の構成については、その説明を省略する。
【００１５】
受信手段２、及び本体スイッチ３は排他手段１１を介して制御回路１４に接続され、マ
イク４は排他手段１１を介して音声認識処理手段５に接続され、そして音声認識手段５は
切替手段１２を介して制御回路１５に接続されている。また、制御手段１３は制御回路１
４、及び制御回路１５を含んで構成され、受信手段２、本体スイッチ３、及び音声認識手
段５からのデータに基づいて、機器８の制御を行なうようになっている。
【００１６】
排他手段１１は、音声又は手動のいずれかのみによって、機器８の制御を行なうように
するためのものであり、切替手段１２からの信号に応じて、手動式スイッチであるリモコ
ン９、及び本体スイッチ３からのデータを制御手段１３に伝達させないように構成されて
いる。
【００１７】
切替手段１２の動作を図３に示したフローチャートに基づいて説明する。
まずステップ１において、音声認識処理手段５からの入力データがあるか否かを判断す
る。入力データがあると判断すれば、ステップ２に移り、手動操作を不可能とするように
排他手段１１に信号を出力して、ステップ３に進む。一方、入力データがないと判断すれ
ば、ステップ１に戻る。
【００１８】
次にステップ３では、音声認識処理手段５からの新たな入力データがあるか否かを判断
する。入力データがあると判断すれば、ステップ４に移り、タイマｔを０にしてステップ
５に進む。一方、入力データがないと判断すれば、ステップ４を飛ばしてステップ５に進
む。
【００１９】
ステップ５では、タイマｔが所定時間Ｔ以上であるか否かを判断する。所定時間Ｔ以上
であれば、ステップ６に移り、手動操作を可能とするように排他手段１１に信号を出力し
て、ステップ１に戻る。一方、所定時間Ｔ以上でなければ、ステップ３に戻る。
すなわち、切替手段１２は音声による操作が開始されると、リモコン９、及び本体スイ
ッチ３による操作制御ができなくなるように動作し、また音声による操作が所定時間Ｔの
あいだ行なわれないと再びリモコン９、及び本体スイッチ３による操作が可能となるよう
に動作するように構成されている。
【００２０】
また、図４に示したように、使用者が操作することのできる切替スイッチ１７を排他手
段１１に接続することにより排他手段１１を制御し、音声又は手動のいずれかのみによっ
て機器８の制御を行なうようにすることもできる。
また、メモリ１６には手動操作による操作命令項目よりもより最終的な操作命令項目が
音声認識用データとして格納されており、制御回路１５は音声認識処理手段５からの認識
データに基づいて機器８の制御を行なうように構成されている。
表１にはメモリ１６に格納されている音声認識用データを示し、表２には音声認識用デ
ータと該データに基づいて制御手段１３が行なう制御機能とを示している。
【００２１】
【表１】
0004413221.tif 000002
【００２２】
【表２】
0004413221.tif 000003
【００２３】
続いて、オーディオ操作として、ＣＤを聴いていてＦＭラジオの「ＦＭ大阪」に切り替
える場合について説明する。
１．リモコン９、又は本体スイッチ３を用いて、手動操作で行なう場合
第１番目の操作として、ボタン［ＦＭ］を押す。
これによって、オーディオ機能がＦＭラジオに切り替わる。
第２番目の操作として、複数のメモリボタンの中から周波数「85.1MHz 」（ＦＭ大阪）
がメモリされているボタンを押す。
これによって、放送局がＦＭ大阪に切り替わる。但し、ここではあらかじめ周波数「85
.1MHz 」がメモリされているものとする。
２．音声操作で行なう場合
表１、及び表２から明らかなように、より最終的な操作命令項目を音声認識用データと
してメモリさせておくことによって、『エフエムオーサカ』と発声するだけで、ダイレク
トでＦＭラジオの「ＦＭ大阪」に切り替わる。
【００２４】
上記実施の形態（１）に係る再生装置によれば、使用可能な操作手段を音声又は手動の
いずれかのみに制限することができるので、操作時における使用者の混乱を避けることが
でき、使い勝手が良い。また、音声操作による操作命令項目が手動操作による操作命令項
目よりもより最終的な操作命令項目で構成されているので、音声操作によって機器の制御
をよりダイレクトに行なうことができるようになる。
【００２５】
上記オーディオ操作以外の例として、ナビゲーションシステムを利用し、「渋滞情報」
を入手する際の操作について説明する。手動操作では、まず全体のメニュー画面を開いて
、「ＶＩＣＳ」画面、及び「文字情報取得」画面を経た後に、「渋滞情報」を入手すると
いうのが一般的であるが、最終的な操作命令項目である『ジュウタイジョウホウ』を音声
認識用データとして格納しておくことにより、ダイレクトで「渋滞情報」を入手すること
が可能となる。
【００２６】
上記実施の形態（１）に係る再生装置において、リモコンを用いて音声を入力し、その
音声情報を機器本体側へ伝達する場合に、ＦＭ等の電波を用いて行なうように構成するこ
とによって、空間に障害物等があったとしても、精度良く音声情報を機器本体側へ伝達さ
せることができる。また、前記リモコンにディスプレイを設けて、音声操作による操作命
令項目を表示させることによって、より使い勝手の良いものとすることができる。
また、別のディスプレイに操作命令項目を表示させたり、またスピーカを用いて操作命
令項目を案内させる構成とすることもできる。
【図面の簡単な説明】
【００２７】
【図１】従来の再生装置のシステム構成の要部を概略的に示したブロック図である。
【図２】本発明の実施の形態（１）に係る再生装置のシステム構成の要部を概略的に示したブロック図である。
【図３】実施の形態（１）に係る再生装置における切替手段の動作を示したフローチャートである。
【図４】別の実施の形態に係る再生装置のシステム構成の要部を概略的に示したブロック図である。
【符号の説明】
【００２８】
２  受信手段
３  本体スイッチ
４  マイク
５  音声認識処理手段
６、１６  メモリ
７、１３  制御手段
８  機器
９  リモコン
１０  使用者
１１  排他手段
１２  切替手段
１４、１５  制御回路
１７  切替スイッチ
【図１】
0004413221.tif 000004
【図２】
0004413221.tif 000005
【図３】
0004413221.tif 000006
【図４】
0004413221.tif 000007